(57)【特許請求の範囲】
【請求項１】
本体キャビネットの下面に、設置面に頭部を当接するレベル調整ボルトを備え、該レベル調整ボルトで水平を調整して設置する自動販売機において、常時は設置面との間に隙間を有し、前記本体キャビネットを後方に傾動した際に、設置面との接触部位が前記レベル調整ボルトから車輪に移行するようにしたキャスターを本体キャビネットの背面下部に設けることを特徴とする自動販売機。
【請求項２】
請求項１記載の自動販売機において、本体キャビネットの背面上部に該本体キャビネットの傾動、および傾動後に前記キャスターとで本体キャビネットの移動を容易にする把手を設けることを特徴とする自動販売機。
【請求項３】
本体キャビネットの下面に、設置面に頭部を当接するレベル調整ボルトを備え、該レベル調整ボルトで水平を調整して設置する自動販売機において、前記本体キャビネットの背面側に位置するレベル調整ボルトに近接して配置され、該レベル調整ボルトを縮めた際に設置面に車輪が接触して本体キャビネットの荷重を支持し、かつ移動を可能にするキャスターおよび本体キャビネットの背面上部に、前記キャスターを用いて本体キャビネットを移動する際の移動を容易にする把手を設けることを特徴とする自動販売機。
【発明の詳細な説明】
【０００１】
【発明の属する技術分野】
この発明は、リフター付き台車など運搬用具使用しないで移動を可能にした自動販売機に関する。
【０００２】
【従来の技術】
図３は従来例の構成を示し、（ａ）は自動販売機を設置した際の側面図、（ｂ）は（ａ）のレベル調整ボルトを縮めた際の側面図を示す。この図３において、１は自動販売機の本体キャビネット、２は本体キャビネット１の下面の４個所に螺着して本体キャビネット１の水平を調整できるようにしたレベル調整ボルト、３は本体キャビネット１の荷重を支持し、かつ移動を可能するキャスターを示す。
【０００３】
この図３において、この自動販売機を設置場所まで移動させる際は、レベル調整ボルト２を縮めて、キャスター３で本体キャビネット１の荷重を支持して本体キャビネット１を押して移動させる。
次に、移動先の設置場所に設置する際は、前記キャスター３で支持した本体キャビネット１を位置決めした後、レベル調整ボルト２を下向きに、前記キャスター３が設置面から離れるまで延ばすとともに、本体キャビネット１の水平を調整して完了する。
【０００４】
【発明が解決しようとする課題】
ところで従来の構成では自動販売機を移動する度に４っつのレベル調整ボルトを縮小および延長するのでレベル調整ボルトの調整に手間が掛かり、また、自動販売機を移動させる際に本体キャビネットを持つ突起物が無いので移動および方向転換に手間が掛かる問題がある。
【０００５】
この発明は上記課題を解決するためになされたもので、その目的とするところは、移動時のレベル調整ボルトの調整手間を少なくし、かつ移動および方向転換を容易にする自動販売機を提供することにある。
【０００６】
【課題を解決するための手段】
上記課題を解決するために請求項１記載の発明は、本体キャビネットの下面に、設置面に頭部を当接するレベル調整ボルトを備え、該レベル調整ボルトで水平を調整して設置する自動販売機において、常時は設置面との間に隙間を有し、前記本体キャビネットを後方に傾動した際に、設置面との接触部位が前記レベル調整ボルトから車輪に移行するようにしたキャスターを本体キャビネットの背面下部に設けることを特徴とする。
【０００７】
上記構成により自動販売機を移動させる際は本体キャビネットを後方に傾動することにより本体キャビネットと設置面との接触部位がレベル調整ボルトからキャスターに移行して本体キャビネットが該キャスターに乗せられた状態になるのでレベル調整ボルトを縮小する手間を省くことが可能になり、また移動先においても本体キャビネットを傾動状態から垂直状態に戻すことにより設置面との接触点がキャスターからレベル調整ボルトに移動するので、その場所での水平を調整する必要がなければレベル調整ボルトを調整する手間を省くことが可能になり、水平を調整する必要が有る場合でもレベル調整ボルトの調整の手間は縮小状態から始める場合に比べて少なくすることが可能になる。
【０００８】
また、請求項２記載の発明のように、請求項１記載の自動販売機において、本体キャビネットの背面上部に該本体キャビネットの傾動、および傾動後に前記キャスターとで本体キャビネットの移動を容易にする把手を設けることができる。上記構成により本体キャビネットを傾動する際、および移動する際は、把手を持って操作できるので傾動および前進、停止、後退などの移動、および方向転換を容易にすることが可能になり、また、本体キャビネットから手が滑って離れ本体キャビネットが転倒する事故を未然に防止することが可能になる。
【０００９】
さらに、請求項３記載の発明のように、本体キャビネットの下面に、設置面に頭部を当接するレベル調整ボルトを備え、該レベル調整ボルトで水平を調整して設置する自動販売機において、前記本体キャビネットの背面側に位置するレベル調整ボルトに近接して配置され、該レベル調整ボルトを縮めた際に設置面に車輪が接触して本体キャビネットの荷重を支持し、かつ移動を可能にするキャスターおよび本体キャビネットの背面上部に、前記キャスターを用いて本体キャビネットを移動する際の移動を容易にする把手を設けることができる。
【００１０】
上記構成により前進、停止、後退などの移動、および方向転換が把手の所のみで操作できて移動を容易にすることが可能になる。
【００１１】
【発明の実施の形態】
図１はこの発明の実施の形態の主要部の構成を示し、（ａ）は背後からみた自動販売機の外観図、（ｂ）は設置面に設置した際の側面図を示す。この図１において、従来例と同一の符号を付けた部材はおおよそ同一の機能を有するのでその説明は省略する。この図１において、１は自動販売機の本体キャビネット、２は本体キャビネット１の下面に螺着して本体キャビネット１の水平を調整できるようにしたレベル調整ボルト、４は本体キャビネット１を傾動した際に本体キャビネット１の荷重をレベル調整ボルト２から車輪に移行して支持し、かつ移動を可能するキャスター、５は本体キャビネット１の背面上部に設けた把手を示す。
【００１２】
上記の構成において、この自動販売機を移動する際は、本体キャビネット１の背面上部に設けた把手５を持って後方側に引き本体キャビネット１を傾動して設置面との接触点をレベル調整ボルト２からキャスター４に移行させて本体キャビネット１を該キャスター４と把手５とで支持し、把手５を押して（または引いて）移動先まで移動して、位置決めした後本体キャビネット１を垂直位置に復帰させて本体キャビネット１をレベル調整ボルト２で支持するようにする。そしてこの移動先の設置面に載置した後、必要があればレベル調整ボルト２により本体キャビネット１の水平を調整する。
【００１３】
図２はこの発明の別の実施の形態の主要部の構成を示し、（ａ）は設置面に設置した際の側面図、（ｂ）は（ａ）の移動時の側面図を示す。この図２において、１は自動販売機の本体キャビネット、２は本体キャビネット１の下面に螺着して本体キャビネット１の水平を調整できるようにしたレベル調整ボルト、３は本体キャビネット１の背面側に位置するレベル調整ボルト２に近接して配置された車輪を有するキャスター、５は本体キャビネット１の背面上部に設けた把手を示す。この図２において、自動販売機の本体キャビネット１は下面に螺着した４っつのレベル調整ボルト２によって設置面にレベル調整されて設置されており、この自動販売機を移動する際は、先ず背面側に位置するレベル調整ボルト２を縮めてキャスター３が設置面に接触して本体キャビネット１の荷重を支持するようにしてから本体キャビネット１の背面の把手５を押して移動先まで移動させ、位置決めしてから背面側のレベル調整ボルト２をキャスター３が設置面から離れるまで延長して、本体キャビネット１の水平を調整して移動を完了する。
【００１４】
【発明の効果】
この発明によれば、自動販売機を移動させる際に把手を設けているので前進、後退、停止、方向転換などの移動に対して把手を引き、押しすることで作業できるので、自動販売機を移動させる際に手が滑って離れ自動販売機が転倒する事故を未然に防止する効果があり、また移動作業者が把手側に居れば良いので、省人化できる効果がある。
【図面の簡単な説明】
【図１】この発明の実施の形態の主要部分の構成を示し、（ａ）は背後からみた自動販売機の外観図、（ｂ）は設置面に設置した際の側面図
【図２】この発明の別の実施の形態の主要部分の構成を示し、（ａ）は設置面に設置した際の側面図、（ｂ）は（ａ）の移動時の側面図
【図３】従来例のを示し、（ａ）は自動販売機を設置した際の側面図、（ｂ）は（ａ）のレベル調整ボルトを縮めた際の側面図
【符号の説明】
１        本体キャビネット
２        レベル調整ボルト
３、４    キャスター
５        把手
【図１】
0003584717.tif 000002
【図２】
0003584717.tif 000003
【図３】
0003584717.tif 000004